(57)【要約】【課題】配電系統への電力の逆潮流を抑制する効果を向上させることができる電力量分析装置、電力量分析方法、及び電力量分析プログラムを提供することである。【解決手段】実施形態の電力量分析装置は、取得部と、分析部とを持つ。取得部は、配電系統から受電した受電電力量から、配電系統に売電した売電電力量を減算した結果を表す電力量データを、発電部を備える需要家ごとに取得する。分析部は、電力量データに基づいて、複数の需要家から逆潮流した電力量である第１の逆潮流量を算出し、配電系統の所望の箇所に蓄電池を設置したと仮定し、蓄電池の充放電可能量を電力量データに合成する場合の第２の逆潮流量を算出し、第１の逆潮流量と第２の逆潮流量との差分である逆潮流抑制量を求めることを、蓄電池の設置箇所ごとに実行する。【選択図】図１
2016093037.tif 000002
【特許請求の範囲】
【請求項１】
配電系統から受電した受電電力量から、前記配電系統に売電した売電電力量を減算した結果を表す電力量データを、発電部を備える需要家ごとに取得する取得部と、
前記電力量データに基づいて、複数の前記需要家から逆潮流した電力量である第１の逆潮流量を算出し、前記配電系統の所望の箇所に蓄電池を設置したと仮定し、前記蓄電池の充放電可能量を前記電力量データに合成する場合の第２の逆潮流量を算出し、前記第１の逆潮流量と前記第２の逆潮流量との差分である逆潮流抑制量を求めることを、前記蓄電池の設置箇所ごとに実行する分析部と、
を備える電力量分析装置。
【請求項２】
前記蓄電池は、前記蓄電池を設置したと仮定した前記配電系統の電力授受を相殺するように、予め定められた容量を超えない範囲内で充放電を実行する、請求項１に記載の電力量分析装置。
【請求項３】
前記分析部により求められた前記蓄電池の設置箇所ごとの逆潮流抑制量に基づいて、前記複数の設置箇所から好適な設置箇所を選定する選定部
を更に備える、請求項１又は請求項２に記載の電力量分析装置。
【請求項４】
前記分析部は、前記電力量データに示された電力量を前記複数の配電系統について合計し、前記複数の配電系統について合計した前記電力量が負値である時間帯について合計した電力量を、前記第１の逆潮流量として算出する、請求項１から請求項３のいずれか一項に記載の電力量分析装置。
【請求項５】
配電系統から受電した受電電力量から、前記配電系統に売電した売電電力量を減算した結果を表す電力量データを、発電部を備える需要家ごとに取得する取得部と、
前記電力量データに示された電力量を複数の前記配電系統について合計し、前記複数の配電系統について合計した前記電力量が負値である時間帯について合計した電力量を、逆潮流量として求める分析部と、
前記分析部により求められた逆潮流量に基づいて、前記複数の配電系統のうちから、蓄電池を設置する前記配電系統を選定する選定部と、
を備える電力量分析装置。
【請求項６】
電力量分析装置における電力量分析方法であって、
配電系統から受電した受電電力量から、前記配電系統に売電した売電電力量を減算した結果を表す電力量データを、発電部を備える需要家ごとに取得するステップと、
前記電力量データに基づいて、複数の前記需要家から逆潮流した電力量である第１の逆潮流量を算出し、前記配電系統の所望の箇所に蓄電池を設置したと仮定し、前記蓄電池の充放電可能量を前記電力量データに合成する場合の第２の逆潮流量を算出し、前記第１の逆潮流量と前記第２の逆潮流量との差分である逆潮流抑制量を求めることを、前記蓄電池の設置箇所ごとに実行するステップと、
を含む電力量分析方法。
【請求項７】
コンピュータに、
配電系統から受電した受電電力量から、前記配電系統に売電した売電電力量を減算した結果を表す電力量データを、発電部を備える需要家ごとに取得する手順と、
前記電力量データに基づいて、複数の前記需要家から逆潮流した電力量である第１の逆潮流量を算出し、前記配電系統の所望の箇所に蓄電池を設置したと仮定し、前記蓄電池の充放電可能量を前記電力量データに合成する場合の第２の逆潮流量を算出し、前記第１の逆潮流量と前記第２の逆潮流量との差分である逆潮流抑制量を求めることを、前記蓄電池の設置箇所ごとに実行する手順と、
を実行させるための電力量分析プログラム。
【発明の詳細な説明】
【技術分野】
【０００１】
本発明の実施形態は、電力量分析装置、電力量分析方法、及び電力量分析プログラムに関する。
【背景技術】
【０００２】
再生可能エネルギー等を利用した発電機を備える需要家が増加している。需要家において電力が余剰となり、余剰となった電力が配電系統に逆流（逆潮流）した場合、逆潮流に応じて需要家が報酬を受けることができる（売電）。しかしながら、逆潮流する電力量が多くなると、配電系統においても電力が余剰となってしまい、電力の供給先が無いといった事態も生じ得る。ここで、配電系統から需要家に至る電力供給路の所望の箇所に蓄電池を配置することで、余剰の電力を吸収することができ、配電系統への電力の逆潮流を抑制することができる。しかしながら、従来の技術では、配電系統への電力の逆潮流を抑制する効果が不十分となる場合があった。
【先行技術文献】
【特許文献】
【０００３】
【特許文献１】特開２０１３−２１７９８号公報
【発明の概要】
【発明が解決しようとする課題】
【０００４】
本発明が解決しようとする課題は、配電系統への電力の逆潮流を抑制する効果を向上させることができる電力量分析装置、電力量分析方法、及び電力量分析プログラムを提供することである。
【課題を解決するための手段】
【０００５】
実施形態の電力量分析装置は、取得部と、分析部とを持つ。取得部は、配電系統から受電した受電電力量から、配電系統に売電した売電電力量を減算した結果を表す電力量データを、発電部を備える需要家ごとに取得する。分析部は、電力量データに基づいて、複数の需要家から逆潮流した電力量である第１の逆潮流量を算出し、配電系統の所望の箇所に蓄電池を設置したと仮定し、蓄電池の充放電可能量を電力量データに合成する場合の第２の逆潮流量を算出し、第１の逆潮流量と第２の逆潮流量との差分である逆潮流抑制量を求めることを、蓄電池の設置箇所ごとに実行する。
【図面の簡単な説明】
【０００６】
【図１】実施形態における、蓄電システムの図。
【図２】実施形態における、高圧配電系統の電力量データの変化を例示した図。
【図３】実施形態における、電力量分析装置の動作を示すフローチャート。
【発明を実施するための形態】
【０００７】
以下、実施形態の電力量分析装置、電力量分析方法、及び電力量分析プログラムを、図面を参照して説明する。
図１は、蓄電システム１の図である。蓄電システム１は、上位系統２と、配電用変圧器３と、一つ以上の高圧配電系統４と、収集装置５と、電力量分析装置６とを備える。上位系統２は、電力の供給源である。配電用変圧器３は、上位系統２から供給された電力の電圧を低下させ、その電力を高圧配電系統４に供給する。
【０００８】
高圧配電系統４は、一つ以上の柱上変圧器４０を備え、柱上変圧器４０ごとに低圧配電系統４１を備える。以下では、高圧配電系統４は、一例として、柱上変圧器４０−１〜４０−３と、低圧配電系統４１−１〜４１−３とを備えるものとする。
柱上変圧器４０は、配電用変圧器３から供給された電力の電圧を低下させ、その電力を低圧配電系統４１に供給する。
【０００９】
低圧配電系統４１は、一つ以上の需要家４１０を備え、需要家４１０ごとに測定部４１１を備える。なお、蓄電池４１２は、現状では低圧配電系統４１に設置されておらず、蓄電システム１のいずれにも設置されていないものとする。
【００１０】
需要家４１０は、柱上変圧器４０から供給された電力を消費する。需要家４１０は、低圧配電系統４１に蓄電池４１２が設置された場合には、その蓄電池４１２から供給された電力を消費することができる。需要家４１０は、太陽光発電などの再生可能エネルギーに基づいて発電する発電機（発電部）を保有している。需要家４１０は、発電機による電力を、低圧配電系統４１や高圧配電系統４に逆潮流させることができる。例えば、需要家４１０は、再生可能エネルギーによる電力を逆潮流させて、その電力を売電することができる。
【００１１】
測定部４１１（メータ）は、需要家４１０の受電電力量及び売電電力量を、所定周期で測定する。この所定周期は、例えば、３０分周期である。売電電力量は、例えば、再生可能エネルギーによる電力量である。測定部４１１は、通信機能を有し、受電電力量を表す情報と、売電電力量を表す情報とを、所定周期で収集装置５に送信する。
【００１２】
前述のように、蓄電池４１２は、現状では低圧配電系統４１に設置されていないものとする。電力量分析装置６は、柱上変圧器４０と測定部４１１との間に蓄電池４１２を設置したものと仮定して、電力の逆潮流量を分析することができる。蓄電池４１２には、ＰＣＳの容量（Ｗ）と、蓄電池４１２の充電容量（Ｗｈ）とが定められている。
【００１３】
収集装置５は、受電電力量及び売電電力量を表す情報を、需要家４１０ごとに測定部４１１から収集する。収集装置５は、収集した受電電力量及び売電電力量を表す情報を、需要家４１０ごとに記憶する。収集装置５は、受電電力量から売電電力量を減算した結果（以下、「電力量データ」という。）を、需要家４１０に対応付けて電力量分析装置６に送信する。収集装置５は、受電電力量を表す情報と、売電電力量を表す情報とを、需要家４１０に対応付けて電力量分析装置６に送信してもよい。
【００１４】
電力量分析装置６は、低圧配電系統４１に蓄電池４１２を設置しない場合における高圧配電系統４から他の高圧配電系統４への逆潮流量を算出する。また、電力量分析装置６は、蓄電池４１２を低圧配電系統４１に設置したと仮定した場合における高圧配電系統４から他の高圧配電系統４への逆潮流量を算出する。電力量分析装置６は、これらの逆潮流量の差を算出する。これによって、電力量分析装置６は、逆潮流量の差を、低圧配電系統４１に仮想的に設置された蓄電池４１２ごとに得る。
【００１５】
電力量分析装置６は、取得部６０と、分析部６１と、選定部６２とを備える。取得部６０と、分析部６１と、選定部６２とのうち一部または全部は、例えば、ＣＰＵ（Central  Processing  Unit）等のプロセッサが、電力量分析装置６の記憶部に記憶されたプログラムを実行することにより機能するソフトウェア機能部である。また、これらの機能部のうち一部または全部は、ＬＳＩ（Large  Scale  Integration）やＡＳＩＣ（Application  Specific  Integrated  Circuit）等のハードウェア機能部であってもよい。記憶部は、例えば、ＲＯＭ（Read  Only  Memory）、フラッシュメモリ、ＨＤＤ（Hard  Disk  Drive）などの不揮発性の記憶媒体（非一時的な記憶媒体）を有する。記憶部は、例えば、ＲＡＭ（Random  Access  Memory）やレジスタなどの揮発性の記憶媒体を有していてもよい。電力量分析装置６の記憶部は、ソフトウェア機能部を動作させるためのプログラムを記憶してもよい。電力量分析装置６の記憶部は、取得部６０と、分析部６１と、選定部６２とのいずれかに含まれていてもよい。
【００１６】
取得部６０は、オペレータによる操作に応じて、設備の容量を表す情報を取得する。設備の容量を表す情報は、蓄電池４１２が柱上変圧器４０に接続するためのＰＣＳ（Power  Conditioning  System）の容量（Ｗ）（ＰＣＳＭＡＸ）、蓄電池４１２の充電容量（Ｗｈ）（ＳＯＣＭＡＸ）、蓄電池４１２が３０分間に充電又は放電することができる最大電力量（Ｗ）（ＯＵＴＭＡＸ）である。この最大電力量は、例えば、ＰＣＳの容量の半分に設定される。取得部６０は、オペレータによる操作に応じて、蓄電池４１２の初期充電率（％）を表す情報を取得する。
【００１７】
取得部６０は、低圧配電系統４１において３０分ごとに測定された電力量データを、１日分（３０分ごとの４８区分）について、需要家４１０ごとに、収集装置５から取得する。また、取得部６０は、高圧配電系統４について、電力量データを収集装置５から取得する。
【００１８】
まず、蓄電池４１２を低圧配電系統４１に設置しない場合に、１日分の高圧配電系統４から他の高圧配電系統４に逆潮流する電力量を分析部６１が推定する場合について説明する。
【００１９】
以下、変数の添字の０は、その変数が初期値であることを示す。また、０以外の添字については、変数の添字の値が大きいほど、その変数が過去のデータであることを示す。例えば、変数の添字の１は、その変数が基準時刻の０〜３０分前の時間帯について測定されたデータであることを示す。また、例えば、変数の添字の４８は、その変数が基準時刻の１４１０〜１４４０分前の時間帯について測定されたデータであることを示す。
【００２０】
以下、Ｍａ１〜Ｍａ４８は、需要家４１０−１の３０分ごとの電力量データをそれぞれ示す。Ｍｂ１〜Ｍｂ４８は、需要家４１０−２の３０分ごとの電力量データをそれぞれ示す。Ｍｃ１〜Ｍｃ４８は、需要家４１０−３の３０分ごとの電力量データをそれぞれ示す。Ｍｄ１〜Ｍｄ４８は、需要家４１０−４の３０分ごとの電力量データをそれぞれ示す。
【００２１】
以下、Ｐａ１〜Ｐａ４８は、低圧配電系統４１−１の３０分ごとの電力量データをそれぞれ示す。Ｐｂ１〜Ｐｂ４８は、低圧配電系統４１−２の３０分ごとの電力量データをそれぞれ示す。Ｐｃ１〜Ｐｃ４８は、低圧配電系統４１−３の３０分ごとの電力量データをそれぞれ示す。
【００２２】
分析部６１は、需要家４１０の３０分ごとの電力量データを、低圧配電系統４１ごとに合計する。低圧配電系統４１−１について合計された電力量データは、式（１）によって表される。
【００２３】
【数１】
2016093037.tif 000003
【００２４】
以下、ＰＨａ１〜ＰＨａ４８は、高圧配電系統４−１の３０分ごとの電力量データをそれぞれ示す。
【００２５】
分析部６１は、式（１）に示す低圧配電系統４１の電力量データを、高圧配電系統４−１の全ての低圧配電系統４１について合計する。これによって、分析部６１は、１日分の高圧配電系統４−１の３０分ごとの電力量データを得る。１日分の高圧配電系統４−１の３０分ごとの電力量データＰＨａ１〜ＰＨａ４８は、式（２）によって表される。
【００２６】
【数２】
2016093037.tif 000004
【００２７】
分析部６１は、１日分の高圧配電系統４の電力量データのうち、高圧配電系統４の電力量データが負値となる時間帯について高圧配電系統４の電力量データを合計する。これによって、分析部６１は、蓄電池４１２を低圧配電系統４１−ｎに設置しない場合における、１日分の高圧配電系統４から他の高圧配電系統４への逆潮流量ＲＨａを得る。逆潮流量ＲＨａは、式（３）によって表される。式（３）では、電力量データが負値である項のみが加算される。
【００２８】
【数３】
2016093037.tif 000005
【００２９】
図２は、高圧配電系統４の電力量データの変化を例示した図である。横軸は時間を示す。縦軸は、高圧配電系統４の電力量データ（受電電力量から売電電力量を減算した結果）を示す。１日は、測定部４１１の測定周期である３０分ごとに、４８の区分に分けられている。これによって、高圧配電系統４の電力量データは、３０分ごとの電力量ＰＨａ１〜ＰＨａ４８に区分されている。電力量データが正値である時間帯では、受電電力量が売電電力量よりも多い。一方、電力量データが負値である時間帯では、受電電力量が売電電力量よりも少ない。図２では、負値である電力量データは、ＰＨａ４７とＰＨａ４６である。
【００３０】
次に、蓄電池４１２を低圧配電系統４１に設置したと仮定して、１日分の高圧配電系統４から他の高圧配電系統４に逆潮流する電力量を分析部６１が推定する場合について説明する。
【００３１】
以下、Ｐｂａｔ１〜Ｐｂａｔ４８は、蓄電池４１２−１の３０分ごとの充放電量データ（仮運転計画）をそれぞれ示す。また、Ｐａ１＿ｂａｔ〜Ｐａ４８＿ｂａｔは、蓄電池４１２−１を低圧配電系統４１−１に設置したと仮定した場合における、低圧配電系統４１−１の３０分ごとの電力量データＰａ１〜Ｐａ４８をそれぞれ示す。
【００３２】
取得部６０は、設備の容量を表す情報を、オペレータによる操作によって取得する。取得部６０は、蓄電池４１２の初期充電率（％）を表す情報を、オペレータによる操作によって取得する。
【００３３】
分析部６１は、需要家４１０の３０分ごとの電力量データと、蓄電池４１２−１の３０分ごとの充放電量データとを、低圧配電系統４１ごとに合計する。低圧配電系統４１−１について合計された電力量データは、式（４）によって表される。
【００３４】
【数４】
2016093037.tif 000006
【００３５】
蓄電池４１２−１の３０分ごとの充放電量Ｐｂａｔ１〜Ｐｂａｔ４８は、原則として、低圧配電系統４１−１の電力授受（電力量Ｐａ１〜Ｐａ４８）を相殺する充放電量である。ただし、電力量Ｐａ１〜Ｐａ４８の各絶対値が、蓄電池４１２が３０分間に充電又は放電することができる最大電力量（Ｗ）（ＯＵＴＭＡＸ）を超える場合には、電力量Ｐａ１〜Ｐａ４８の各絶対値は、その最大電力量までに制限される。
【００３６】
【数５】
2016093037.tif 000007
【００３７】
分析部６１は、式（４）に示す低圧配電系統４１の電力量データを、高圧配電系統４−１の全ての低圧配電系統４１について合計する。また、分析部６１は、１日分の高圧配電系統４の電力量データのうち、高圧配電系統４の電力量データが負値となる時間帯について高圧配電系統４の電力量データを、式（３）と同様に合計する。
【００３８】
以下、ＳＯＣ０は、蓄電池４１２の初期充電率（基準時刻から１４４０分前の初期充電率）に対応する充電量を示す。ＳＯＣ１〜ＳＯＣ４８は、蓄電池４１２の３０分ごとの充電率に対応する充電量をそれぞれ示す。例えば、ＳＯＣ４８は、基準時刻から１４１０分前の充電率に対応する充電量を示す。蓄電池４１２の３０分ごとの充電率に対応する充電量ＳＯＣ１〜ＳＯＣ４８は、式（６）によって表される。
【００３９】
【数６】
2016093037.tif 000008
【００４０】
分析部６１は、蓄電池４１２の３０分ごとの充電率に対応する充電量ＳＯＣ１〜ＳＯＣ４８が、蓄電池４１２の充電容量（ＳＯＣＭＡＸ）を超えないように、蓄電池４１２−１の３０分ごとの充放電量Ｐｂａｔ１〜Ｐｂａｔ４８（仮運転計画）を作成する。分析部６１は、低圧配電系統４１−２と低圧配電系統４１−３についても同様に、蓄電池４１２の仮運転計画を作成することができる。
【００４１】
以下、低圧配電系統４１に蓄電池４１２を設置する前後における、高圧配電系統４の逆潮流量の差を、「逆潮流抑制量」という。分析部６１は、低圧配電系統４１−１〜４１−３について蓄電池４１２の設置をそれぞれ仮定して、高圧配電系統４の潮流抑制量を推定する。分析部６１は、低圧配電系統４１−２と低圧配電系統４１−３についても同様に、潮流抑制量を推定することができる。
【００４２】
選定部６２は、蓄電池４１２を優先的に設置する低圧配電系統４１の順位を、逆潮流抑制量の多い順に選定する。選定部６２は、選定した低圧配電系統４１を表す情報を、オペレータに提示する。選定部６２は、低圧配電系統４１に対応付けられた蓄電池４１２を選定してもよい。選定部６２は、低圧配電系統４１に設置する蓄電池４１２の設置計画を作成してもよい。選定部６２は、蓄電池４１２を設置する低圧配電系統４１が予め定まっている場合には、設置される蓄電池４１２の充電容量を選定してもよい。
【００４３】
電力量分析装置６の動作を説明する。
図３は、電力量分析装置６の動作を示す図である。
取得部６０は、設備の容量を表す情報を、オペレータによる操作によって取得する。取得部６０は、蓄電池４１２の初期充電率（％）を表す情報を、オペレータによる操作によって取得する（ステップＳ１０１）。
【００４４】
以下、ステップＳ１０２からステップＳ１０４は、処理ループである。
取得部６０は、蓄電池４１２を設置していない現状における電力量データを合計する対象を、低圧配電系統４１−ｎに定める。この符号ｎの初期値は１である（ステップＳ１０２）。
【００４５】
次に、取得部６０は、低圧配電系統４１−ｎにおいて３０分ごとに測定された電力量データを、１日分（３０分ごとの４８区分）について、需要家４１０ごとに、収集装置５から取得する（ステップＳ１０３）。
次に、取得部６０は、電力量データを合計する対象を、低圧配電系統４１−ｎの符号ｎをインクリメントして変更する（ステップＳ１０４）。
【００４６】
次に、分析部６１は、需要家４１０の３０分ごとの電力量データを、低圧配電系統４１ごとに合計する。分析部６１は、低圧配電系統４１の電力量データを、高圧配電系統４の全ての低圧配電系統４１について合計する。これによって、分析部６１は、１日分の高圧配電系統４の電力量データを得る（ステップＳ１０５）。
【００４７】
次に、分析部６１は、１日分の高圧配電系統４の電力量データのうち、高圧配電系統４の電力量データが負値となる時間帯について高圧配電系統４の電力量データを合計する。これによって、分析部６１は、蓄電池４１２を低圧配電系統４１−ｎに設置しない場合における、１日分の高圧配電系統４から他の高圧配電系統４への逆潮流量を得る（ステップＳ１０６）。
【００４８】
以下、ステップＳ１０７からステップＳ１１３は、処理ループである。
取得部６０は、蓄電池４１２を設置したと仮定して電力量データを合計する対象を、低圧配電系統４１−ｎに定める。この符号ｎの初期値は１である（ステップＳ１０７）。
次に、分析部６１は、低圧配電系統４１−ｎの電力授受が相殺されるように、予め定められた容量を超えない範囲で、蓄電池４１２の充放電可能量を算出する（ステップＳ１０８）。
次に、分析部６１は、低圧配電系統４１−ｎの電力量データに、蓄電池４１２の充放電可能量を合成する（ステップＳ１０９）。
【００４９】
次に、ステップＳ１０５と同様に、分析部６１は、蓄電池４１２の充放電可能量を合成した低圧配電系統４１の電力量データを、高圧配電系統４の全ての低圧配電系統４１について合計する。これによって、分析部６１は、１日分の高圧配電系統４の電力量データを得る（ステップＳ１１０）。
【００５０】
次に、ステップＳ１０６と同様に、分析部６１は、１日分の高圧配電系統４の電力量データのうち、高圧配電系統４の電力量データが負値となる時間帯について高圧配電系統４の電力量データを合計する。これによって、分析部６１は、蓄電池４１２を低圧配電系統４１−ｎに設置したと仮定した場合における、１日分の高圧配電系統４から他の高圧配電系統４への逆潮流量を得る（ステップＳ１１１）。
【００５１】
次に、分析部６１は、蓄電池４１２を低圧配電系統４１−ｎに設置しない場合における１日分の高圧配電系統４からの逆潮流量と、蓄電池４１２を低圧配電系統４１−ｎに設置したと仮定した場合における１日分の高圧配電系統４からの逆潮流量との差を算出する。これによって、分析部６１は、それらの逆潮流量の差を表す逆潮流抑制量を得る（ステップＳ１１２）。
【００５２】
次に、分析部６１は、低圧配電系統４１−ｎの電力量データに対する、蓄電池４１２の充放電可能量の合成を解除する。取得部６０は、蓄電池４１２を設置したと仮定して電力量データを合計する対象を、低圧配電系統４１−ｎの符号ｎをインクリメントして変更する（ステップＳ１１３）。
【００５３】
選定部６２は、蓄電池４１２を設置する低圧配電系統４１の順位を、逆潮流抑制量の大きい順に高く定める。選定部６２は、順位の高い低圧配電系統４１を選定する（ステップＳ１１４）。
【００５４】
以上のように、実施形態の電力量分析装置６は、取得部６０と、分析部６１とを持つ。取得部６０は、低圧配電系統４１から受電した受電電力量から、低圧配電系統４１に売電した売電電力量を減算した結果を表す電力量データを、発電部を備える需要家４１０ごとに取得する。分析部６１は、電力量データに基づいて、複数の需要家４１０から逆潮流した電力量である第１の逆潮流量を算出し、低圧配電系統４１の所望の箇所に蓄電池４１２を設置したと仮定し、蓄電池４１２の充放電可能量を電力量データに合成する場合の第２の逆潮流量を算出し、第１の逆潮流量と第２の逆潮流量との差分である逆潮流抑制量を求めることを、蓄電池４１２の設置箇所ごとに実行する。
これによって、実施形態の電力量分析装置６は、配電系統への電力の逆潮流を抑制する効果を向上させることができる。
【００５５】
実施形態の蓄電池４１２は、蓄電池４１２を設置したと仮定した低圧配電系統４１の電力授受を相殺するように、予め定められた容量を超えない範囲内で充放電を実行する。予め定められた容量は、例えば、ＰＣＳの充電容量、蓄電池４１２の充電容量である。
これによって、実施形態の電力量分析装置６は、設置する蓄電池４１２やＰＣＳの定格を考慮した分析結果を得ることができる。
【００５６】
実施形態の電力量分析装置１６は、選定部６２を更に持つ。選定部６２は、分析部６１により求められた蓄電池４１２の設置箇所ごとの逆潮流抑制量に基づいて、複数の設置箇所から好適な設置箇所を選定する。
これによって、実施形態の電力量分析装置１６は、低圧配電系統４１に設置した場合に逆潮流抑制量が多い蓄電池４１２の設置位置を、選定することができる。また、実施形態の電力量分析装置１６は、低圧配電系統４１に設置した場合に逆潮流抑制量が多い順に、蓄電池４１２の設置位置に順位を付けることができる。
【００５７】
実施形態の分析部６１は、Ｍａ１等を含む電力量データに示された電力量Ｐａ１等を複数の低圧配電系統４１について合計し、複数の低圧配電系統４１について合計した電力量ＰＨａ１等が負値である時間帯について合計した電力量ＲＨａを、第１の逆潮流量として算出する。
これによって、実施形態の電力量分析装置１６は、高圧配電系統４の逆潮流量を算出することができる。
【００５８】
実施形態の電力量分析装置は、取得部６０と、分析部６１と、選定部６２とを持つ。取得部６０は、低圧配電系統４１から受電した受電電力量から、低圧配電系統４１に売電した売電電力量を減算した結果を表す電力量データを、発電部を備える需要家４１０ごとに取得する。分析部６１は、Ｍａ１等を含む電力量データに示された電力量Ｐａ１等を複数の低圧配電系統４１について合計し、複数の低圧配電系統４１について合計した電力量ＰＨａ１等が負値である時間帯について合計した電力量ＲＨａを、逆潮流量として求める。選定部６２は、分析部６１により求められた逆潮流量に基づいて、複数の低圧配電系統４１のうちから、蓄電池４１２を設置する配電系統を選定する。
これによって、実施形態の電力量分析装置１６は、蓄電池４１２を設置した場合に逆潮流抑制量が多い低圧配電系統４１を、選定することができる。
【００５９】
以上述べた少なくともひとつの実施形態の電力量分析装置によれば、電力量データに基づいて、複数の需要家から逆潮流した電力量である第１の逆潮流量を算出し、配電系統の所望の箇所に蓄電池を設置したと仮定し、蓄電池の充放電可能量を電力量データに合成する場合の第２の逆潮流量を算出し、第１の逆潮流量と第２の逆潮流量との差分である逆潮流抑制量を求めることを、蓄電池の設置箇所ごとに実行する分析部を持つことにより、配電系統への電力の逆潮流を抑制する効果を向上させることができる。
【００６０】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６１】
１…蓄電システム、２…上位系統、３…配電用変圧器、４…高圧配電系統、５…収集装置、６…電力量分析装置、４０…柱上変圧器、４１…低圧配電系統、６０…取得部、６１…分析部、６２…選定部、４１０…需要家、４１１…測定部、４１２…蓄電池
【図１】
2016093037.tif 000009
【図２】
2016093037.tif 000010
【図３】
2016093037.tif 000011